(57)【要約】【課題】保存安定性に優れ、低泡性で洗浄力に優れる液体洗浄剤組成物を提供する。【解決手段】式（１）で表される化合物（Ａ）、アルカリ剤（Ｂ）、および非イオン性界面活性剤（Ｃ）を含有し、前記非イオン性界面活性剤（Ｃ）がポリオキシアルキレンアルキルエーテル（Ｃ−ａ）およびポリオキシエチレンポリオキシプロピレンブロックポリマー（Ｃ−ｂ）から選ばれる少なくとも１種である液体洗浄剤組成物である。    Ｒ１Ｏ−（ＡＯ）ｎ−ＣＨ２ＣＨ（ＯＨ）ＣＨ２−ＳＯ３Ｎａ  …（１）（式中、Ｒ１は炭素数４〜８のアルキル基、フェニル基または炭素数１〜４のアルキル基を持つアルキルフェニル基、ＡＯは炭素数２〜４のオキシアルキレン基、ｎ＝０〜５）【選択図】なし【特許請求の範囲】
【請求項１】
下記一般式（１）で表される化合物（Ａ）、アルカリ剤（Ｂ）、および、非イオン性界面活性剤（Ｃ）を含有し、
前記非イオン性界面活性剤（Ｃ）が下記一般式（２）で表されるポリオキシアルキレンアルキルエーテル（Ｃ−ａ）およびポリオキシエチレンポリオキシプロピレンブロックポリマー（Ｃ−ｂ）から選ばれる少なくとも１種である液体洗浄剤組成物。
Ｒ１Ｏ−（ＡＯ）ｎ−ＣＨ２ＣＨ（ＯＨ）ＣＨ２−ＳＯ３Ｎａ  …（１）
〔式中、Ｒ１は直鎖又は分岐鎖の炭素数４〜８のアルキル基、フェニル基、または炭素数１〜４のアルキル基を持つアルキルフェニル基であり、ＡＯは炭素数２〜４のオキシアルキレン基であり、ｎは平均付加モル数を表し０〜５の数である。〕
Ｒ２Ｏ−［（ＥＯ）ｘ／（ＰＯ）ｙ］−Ｈ  …（２）
〔式中、Ｒ２は直鎖又は分岐鎖の炭素数８〜１４のアルキル基であり、ＥＯはオキシエチレン基、ＰＯはオキシプロピレン基を表す。ｘおよびｙはそれぞれ平均付加モル数を表し、ｘ＝５〜１５、ｙ＝１〜６の数である。ＥＯとＰＯの付加形態はランダム付加、ブロック付加、またはこれらの組み合わせのいずれでも良い。〕
【請求項２】
上記化合物（Ａ）、アルカリ剤（Ｂ）および非イオン性界面活性剤（Ｃ）の配合比が、質量比で、化合物（Ａ）／アルカリ剤（Ｂ）／非イオン性界面活性剤（Ｃ）＝ １／０．１〜３０／０．１〜１０である請求項１に記載の液体洗浄剤組成物。
【請求項３】
食器洗浄機用の洗浄剤である請求項１または２に記載の液体洗浄剤組成物。
【発明の詳細な説明】
【技術分野】
【０００１】
本発明は、液体洗浄剤組成物に関する。
【背景技術】
【０００２】
液体洗浄剤組成物として、アルカリ剤と非イオン性界面活性剤を主体とするものが知られている。例えば、食器洗浄機用の液体洗浄剤において、アルカリ剤は主に加水分解作用により汚れを可溶化するために、非イオン性界面活性剤は主に汚れを洗浄・除去し、さらに油汚れの洗浄力を向上するために使用されている。
【０００３】
自動食器洗浄機に用いられる場合、ノズルより高圧にて洗浄液が噴霧・洗浄される為、界面活性剤の泡立ちが多いと泡があふれスプレー装置の吐出圧が低下する。そのため、泡立ちが少ないこと、すなわち低泡性であることが求められる。
【０００４】
一方で、洗浄性能を確保するためには一定量の非イオン性界面活性剤を配合することを必要としており、食器洗浄剤に要求される低泡性を、洗浄力を維持したまま十分に得ることは困難である（特許文献１，２，３参照）。
【０００５】
また、一般にアルカリ剤と非イオン性界面活性剤を併用した水性液体洗浄剤は、非イオン界面活性剤の曇点の低下により白濁や分離等を生じ安定性が悪いため、中鎖脂肪酸のような可溶化剤が併用される（特許文献４参照）。しかしながら、この可溶化剤自身も泡立ちの原因となることが多く、より低泡性の可溶化剤が望まれている。
【０００６】
なお、特許文献５には、アルコール又はそのアルキレンオキサイド付加物にエピクロロヒドリンを反応させたグリシジルエーテルに重亜硫酸塩を反応させて得られるスルホン酸塩基を持つ界面活性剤を、アルカリ剤とともに配合してなるアルカリ性洗浄剤が開示されている。しかしながら、これらのスルホン酸塩基を持つ界面活性剤とアルカリ剤に、特定の非イオン性界面活性剤を組み合わせることについては開示されておらず、保存安定性と低泡性と洗浄性を両立できるものではなかった。
【先行技術文献】
【特許文献】
【０００７】
【特許文献１】特開２０１０−０４７７３１号公報
【特許文献２】特開２０１０−０３７４１４号公報
【特許文献３】特開２０１２−１９３２２８号公報
【特許文献４】特開２０００−０９６０９７号公報
【特許文献５】特開平０５−３１１２００号公報
【発明の概要】
【発明が解決しようとする課題】
【０００８】
本発明は、以上の点に鑑み、製品の保存安定性に優れ、低泡性で洗浄力に優れる液体洗浄剤組成物を提供することを目的とする。
【課題を解決するための手段】
【０００９】
本発明に係る液体洗浄剤組成物は、下記一般式（１）で表される化合物（Ａ）、アルカリ剤（Ｂ）、および、非イオン性界面活性剤（Ｃ）を含有し、前記非イオン性界面活性剤（Ｃ）が下記一般式（２）で表されるポリオキシアルキレンアルキルエーテル（Ｃ−ａ）およびポリオキシエチレンポリオキシプロピレンブロックポリマー（Ｃ−ｂ）から選ばれる少なくとも１種であるものである。
【００１０】
Ｒ１Ｏ−（ＡＯ）ｎ−ＣＨ２ＣＨ（ＯＨ）ＣＨ２−ＳＯ３Ｎａ  …（１）
式中、Ｒ１は直鎖又は分岐鎖の炭素数４〜８のアルキル基、フェニル基、または炭素数１〜４のアルキル基を持つアルキルフェニル基であり、ＡＯは炭素数２〜４のオキシアルキレン基であり、ｎは平均付加モル数を表し０〜５の数である。
【００１１】
Ｒ２Ｏ−［（ＥＯ）ｘ／（ＰＯ）ｙ］−Ｈ  …（２）
式中、Ｒ２は直鎖又は分岐鎖の炭素数８〜１４のアルキル基であり、ＥＯはオキシエチレン基、ＰＯはオキシプロピレン基を表す。ｘおよびｙはそれぞれ平均付加モル数を表し、ｘ＝５〜１５、ｙ＝１〜６の数である。ＥＯとＰＯの付加形態はランダム付加、ブロック付加、またはこれらの組み合わせのいずれでも良い。
【発明の効果】
【００１２】
本発明によれば、製品の保存安定性に優れ、低泡性で洗浄力に優れる洗浄剤組成物を提供することができる。
【発明を実施するための形態】
【００１３】
本実施形態に係る液体洗浄剤組成物は、上記一般式（１）で表される化合物（Ａ）、アルカリ剤（Ｂ）、および、上記特定の非イオン性界面活性剤（Ｃ）を含有することを特徴とするものであり、これら３成分を用いることにより、保存安定性に優れたものでありながら、洗浄性と低泡性を両立することができる。以下に、これら各成分について詳細に説明する。
【００１４】
＜化合物（Ａ）＞
上記一般式（１）で表される化合物（Ａ）は、Ｒ１で表される炭化水素基を持つスルホン酸塩であり、分子内部にヒドロキシル基を有していることを特徴とする。
【００１５】
式（１）において、Ｒ１は、直鎖又は分岐鎖の炭素数４〜８のアルキル基、フェニル基、または炭素数１〜４の直鎖又は分岐鎖のアルキル基を持つアルキルフェニル基である。このようにアルキル基の炭素数が８以下であることにより、または、アルキル基を持たないフェニル基またはアルキルフェニル基の炭素数が４以下であることにより、化合物（Ａ）の水溶性を確保して、洗浄剤組成物の安定性を良好にすることができる。また、アルキル基の炭素数が４以上であることにより、所望の性能を発揮することができる。Ｒ１は、より一層優れた洗浄性と低泡性が得られるという理由で、炭素数４〜８のアルキル基であることが好ましい。
【００１６】
Ｒ１の具体例としては、ｎ−ブチル、ｎ−ペンチル、ｎ−ヘキシル、ｎ−オクチル、２−エチルヘキシルなどのアルキル基、トリル基、ブチルフェニル基、キシリル基、メシチル基等のアルキルフェニル基、および、フェニル基などが挙げられる。
【００１７】
式（１）において、ＡＯは、炭素数２〜４のオキシアルキレン基である。具体的には、オキシエチレン基、オキシプロピレン基、およびオキシブチレン基が挙げられ、これらはいずれか１種、または２種以上組み合わせて用いられる。好ましくは、ＡＯは、オキシエチレン基および／またはオキシプロピレン基である。ｎは、ＡＯの平均付加モル数を表し、０〜５の数である。ｎ＝０でもよく、すなわち、化合物（Ａ）は、ＡＯを有していなくてもよい。
【００１８】
化合物（Ａ）は、例えば、グリシジルエーテルに亜硫酸水素ナトリウムを反応させることにより製造することができる。また、その原料となるグリシジルエーテルは、アルコール、フェノール、アルキルフェノールまたはそれらのアルキレンオキサイド付加物に、エピクロロヒドリンを反応させることにより得られる。該アルキレンオキサイド付加物も、公知の方法により製造することができ、例えば、原料となるアルコールに、アルカリまたは酸触媒を加え、昇温した後、プロピレンオキサイドおよび／またはエチレンオキサイドを適宜付加反応させた後、系を中和することにより製造することができる。
【００１９】
＜アルカリ剤（Ｂ）＞
アルカリ剤（Ｂ）としては、例えば、水酸化ナトリウム、水酸化カリウムなどのアルカリ金属水酸化物、炭酸ナトリウム、炭酸カリウムなどのアルカリ金属炭酸塩、炭酸水素ナトリウム、炭酸水素カリウムなどのアルカリ金属炭酸水素塩、珪酸ナトリウム、珪酸カリウムなどのアルカリ金属珪酸塩、リン酸ナトリウム、リン酸カリウム、第二リン酸ナトリウム、第二リン酸カリウムなどのアルカリ金属リン酸塩、クエン酸ナトリウム、クエン酸カリウムなどのアルカリ金属クエン酸塩、モノエタノールアミン、ジエタノールアミン、トリエタノールアミン、メチルアミン、ジメチルアミン、エチルアミン、ジエチルアミン、トリエチルアミン、モルホリン、シクロヘキシルアミン、テトラメチルアンモニウムヒドロキシド、テトラエチルアンモニウムヒドロキシド、トリメチル−２−ヒドロキシエチルアンモニウムヒドロキシド（通称コリン）、エチレンジアミン四酢酸四ナトリウム塩などが挙げられる。これらのアルカリ剤はいずれか１種、または２種以上組み合わせて用いることができる。
【００２０】
＜非イオン性界面活性剤（Ｃ）＞
非イオン性界面活性剤（Ｃ）としては、上記一般式（２）で表されるポリオキシアルキレンアルキルエーテル（Ｃ−ａ）、および、ポリオキシエチレンポリオキシプロピレンブロックポリマー（Ｃ−ｂ）が挙げられる。
【００２１】
ポリオキシアルキレンアルキルエーテル（Ｃ−ａ）において、上記式（２）中のＲ２は、直鎖又は分岐鎖の炭素数８〜１４のアルキル基であり、炭素数が８以上であることにより、洗浄力を向上することができ、また炭素数が１４以下であることにより、泡切れを良くして低泡性を向上することができる。Ｒ２の炭素数は、洗浄力の観点から９〜１３の範囲内であることがより好ましい。
【００２２】
上記式（２）において、ＥＯはオキシエチレン基を表し、ＰＯはオキシプロピレン基を表す。ｘおよびｙはそれぞれＥＯおよびＰＯの平均付加モル数を表し、ｘ＝５〜１５、ｙ＝１〜６の数である。ＥＯとＰＯの付加形態はランダム付加、ブロック付加、またはこれらの組み合わせのいずれでも良い。ｘが５以上であることにより、水への溶解性を向上することができ、好ましくはｘ＞ｙであり、より好ましくはｘ＝７〜１２である。また、ｙが１以上であることにより、低泡性を向上することができる。
【００２３】
ポリオキシアルキレンアルキルエーテル（Ｃ−ａ）は、公知の方法で製造することができ、例えば、原料となるアルコールに、アルカリまたは酸触媒を加え、昇温した後、プロピレンオキサイドおよび／またはエチレンオキサイドを適宜付加反応させた後、系を中和することにより製造することができる。
【００２４】
ポリオキシエチレンポリオキシプロピレンブロックポリマー（Ｃ−ｂ）としては、下記一般式（３）および／または一般式（４）で表される構造のものが挙げられる。
【００２５】
ＨＯ−（ＥＯ）ｐ−（ＰＯ）ｑ−（ＥＯ）ｒ−Ｈ  …（３）
ＨＯ−（ＰＯ）ｓ−（ＥＯ）ｔ−（ＰＯ）ｕ−Ｈ  …（４）
【００２６】
式（３）および（４）中、ＥＯはオキシエチレン基、ＰＯはオキシプロピレン基を表す。ｐ、ｒおよびｔは、ＥＯの平均付加モル数を示し、ｐ＋ｒ≦３００であることが好ましく、より好ましくはｐ＋ｒは５０〜１８０の数であり、また、ｔ≦３００であることが好ましく、より好ましくはｔは５０〜１８０の数である。ｑ、ｓおよびｕは、ＰＯの平均付加モル数を示し、ｑ≦１００であることが好ましく、より好ましくはｑは２０〜６０の数であり、また、ｓ＋ｕ≦１００であることが好ましく、より好ましくはｓ＋ｕは２０〜６０の数である。また、ｐ＋ｒ＞ｑであることが好ましく、ｔ＞ｓ＋ｕであることが好ましい。より詳細には、ＥＯの含有率が５０質量％以上であることが好ましく、より好ましくは６０〜８５質量％である。なお、ｐ、ｑ、ｒ、ｓ、ｔおよびｕはいずれも０を超える数である。
【００２７】
以上の非イオン性界面活性剤（Ｃ）は、いずれか１種を用いてもよく、または２種以上を組み合わせて用いてもよい。
【００２８】
＜液体洗浄剤組成物＞
本実施形態に係る液体洗浄剤組成物において、化合物（Ａ）の含有量は、０．１〜３０質量％であることが好ましく、より好ましくは０．５〜２０質量％であり、更に好ましくは１〜１０質量％である。また、アルカリ剤（Ｂ）の含有量は、０．５〜５０質量％であることが好ましく、より好ましくは３〜３０質量％であり、更に好ましくは５〜２５質量％である。また、非イオン性界面活性剤（Ｃ）の含有量は、０．１〜３０質量％であることが好ましく、より好ましくは０．５〜１０質量％であり、更に好ましくは０．５〜５質量％である。
【００２９】
本実施形態に係る液体洗浄剤組成物において、上記化合物（Ａ）、アルカリ剤（Ｂ）および非イオン性界面活性剤（Ｃ）の配合比は、質量比で、化合物（Ａ）／アルカリ剤（Ｂ）／非イオン性界面活性剤（Ｃ）＝ １／０．１〜３０／０．１〜１０であることが好ましい。すなわち、化合物（Ａ）の配合量を１としたとき、アルカリ剤（Ｂ）の配合量が０．１〜３０であり、非イオン性界面活性剤（Ｃ）の配合量が０．１〜１０であることが好ましい。このような配合比とすることにより、上記所望の性能をより効果的に発揮することができる。配合比は、より好ましくは、（Ａ）／（Ｂ）／（Ｃ）＝１／１〜１５／０．２〜３であり、更に好ましくは、（Ａ）／（Ｂ）／（Ｃ）＝１／２〜１０／０．２〜１である。
【００３０】
本実施形態に係る液体洗浄剤組成物には、その基剤成分として水が使用される。即ち、本実施形態の液体洗浄組成物において、上記化合物（Ａ）、アルカリ剤（Ｂ）および非イオン性界面活性剤（Ｃ）及び必要に応じて添加される他の配合成分以外の残部は、通常は水である。
【００３１】
本実施形態に係る液体洗浄剤組成物には、その他、上記以外の界面活性剤、酵素、漂白剤、消泡剤、防錆剤、ハイドロトロープ剤、表面改質剤、香料などを含有することができる。
【００３２】
本実施形態に係る液体洗浄剤組成物は、アルカリ剤と非イオン性界面活性剤を含むものであるため、例えば、金属表面、ガラス表面あるいは陶器表面、樹脂表面などに付着する油脂等の汚れの洗浄に好適に使用することができる。特に、本実施形態に係る液体洗浄剤組成物であると、噴霧洗浄が可能な低泡性を有し、かつ洗浄性に優れているので、例えば食器洗浄機用の洗浄剤として特に好適に利用できる。また、食器洗浄機用の洗浄剤に限定されるものではなく、各種硬質表面の洗浄剤として用いることもできる。
【実施例】
【００３３】
以下、実施例により本発明を更に詳細に説明するが、本発明はこれらに限定されるものではない。
【００３４】
＜Ｃ４−２ＥＯ−Ｈのグリシジルエーテルの合成＞
５００ｍＬのガラス製セパラフラスコに、ジエチレングリコールモノブチルエーテル（ナカライテスク社）１６２ｇ、エピクロロヒドリン１３８ｇ、４８質量％水酸化ナトリウム水溶液１６７ｇ及びテトラメチルアンモニウムブロミド０．５ｇを仕込み、激しく撹拌しながら５０℃で３時間反応させた。得られた反応混合物を室温まで冷却し、有機層を水洗した。この有機層から減圧蒸留することで、Ｃ４−２ＥＯ−Ｈのグリシジルエーテルを得た。
【００３５】
＜Ｃ４−２ＰＯ−３ＥＯ−Ｈのグリシジルエーテルの合成＞
ジエチレングリコールモノブチルエーテルに代えて、ｎ−ブタノールにＰＯを２モル、ＥＯを３モル順次反応させて得られたＣ４−２ＰＯ−３ＥＯ−Ｈを用いた以外は、Ｃ４−２ＥＯ−Ｈのグリシジルエーテルの合成と同様にして、Ｃ４−２ＰＯ−３ＥＯ−Ｈのグリシジルエーテルを得た。
【００３６】
＜製造例１＞
５００ｍＬのガラス製セパラフラスコに、エポゴーセー２ＥＨ（四日市合成社、２−エチルヘキシルグリシジルエーテル）１００ｇ及び亜硫酸水素ナトリウム（ナカライテスク社）５３．２ｇ、亜硫酸ナトリウム（ナカライテスク社）６．３ｇ、水３００ｇを仕込み、１０５℃で還流しながら１０時間反応させ、上記式（１）で表される２−エチルヘキシルグリセリルエーテルスルホン酸ナトリウム（Ａ−１）を得た（式（１）中、Ｒ１が炭素数８のアルキル基、ｎ＝０）。１Ｈ−ＮＭＲによる純度は９９モル％以上であった。
【００３７】
＜製造例２＞
エポゴーセー２ＥＨに代えてエピオールＰ（日油社、フェニルグリシジルエーテル）を用いた他は、製造例１と同様の方法で、上記式（１）で表されるフェニルグリセリルエーテルスルホン酸ナトリウム（Ａ−２）を得た（式（１）中、Ｒ１がフェニル基、ｎ＝０）。１Ｈ−ＮＭＲによる純度は９９モル％以上であった。
【００３８】
＜製造例３＞
エポゴーセー２ＥＨに代えてＯＳＢＰ−ＥＰ（四日市合成社、ｏ−ｓｅｃ−ブチルフェニルグリシジルエーテル）を用いた他は、製造例１と同様の方法で、上記式（１）で表されるｏ−ｓｅｃ−ブチルフェニルグリセリルエーテルスルホン酸ナトリウム（Ａ−３）を得た（式（１）中、Ｒ１がｏ−ｓｅｃ−ブチルフェニル基、ｎ＝０）。１Ｈ−ＮＭＲによる純度は９９モル％以上であった。
【００３９】
＜製造例４＞
エポゴーセー２ＥＨに代えてＣ４−２ＥＯ−Ｈのグリシジルエーテルを用いた他は、製造例１と同様の方法で、上記式（１）で表されるＣ４−２ＥＯ−Ｈのグリセリルエーテルスルホン酸ナトリウム（Ａ−４）を得た（式（１）中、Ｒ１が炭素数４のアルキル基、ｎ＝２、ＡＯ＝オキシエチレン基）。１Ｈ−ＮＭＲによる純度は９９％モル以上であった。
【００４０】
＜製造例５＞
エポゴーセー２ＥＨに代えてＣ４−２ＰＯ−３ＥＯ−Ｈのグリシジルエーテルを用いた他は、製造例１と同様の方法で、上記式（１）で表されるＣ４−２ＰＯ−３ＥＯ−Ｈのグリセリルエーテルスルホン酸ナトリウム（Ａ−５）を得た（式（１）中、Ｒ１が炭素数４のアルキル基、ｎ＝５、ＡＯ＝オキシエチレン基およびオキシプロピレン基）。１Ｈ−ＮＭＲによる純度は９９モル％以上であった。
【００４１】
実施例の洗浄剤組成物で使用した各成分の詳細は以下の通りである。
【００４２】
＜化合物（Ａ）＞
・（Ａ−１）〜（Ａ−５）：上記製造例１〜５に記載
・（Ａ’−１）：２−エチルヘキサン酸ナトリウム（和光純薬工業社）
・（Ａ’−２）：ＡＧ６２０２（アクゾノーベル社、オクチルポリグルコシド）
ここで、（Ａ’−１）および（Ａ’−２）は、上記式（１）で表される化合物（Ａ）ではない。
【００４３】
＜アルカリ剤（Ｂ）＞
・（Ｂ−１）：クエン酸３Ｎａ
・（Ｂ−２）：エチレンジアミン四酢酸４Ｎａ
・（Ｂ−３）：ＫＯＨ
【００４４】
＜非イオン性界面活性剤（Ｃ）＞
・（Ｃ−ａ１）：一般式（２）において、原料アルコールにリネポール９１１（シェルケミカルズジャパン製、Ｃ９〜１１アルコール）を用い、これにＰＯを３モル付加した後、ＥＯ１２モルとＰＯ２モルをランダム付加（ｘ＝１２、ｙ＝５）して得られた非イオン性界面活性剤（Ｃ９〜１１−３ＰＯ−（１２ＥＯ／２ＰＯ）−Ｈ）
・（Ｃ−ａ２）：一般式（２）において、原料アルコールにオクタノール（協和発酵ケミカル社、２−エチルヘキサノール）を用い、これにＰＯ３モル、ＥＯ７モルを順次付加（ｘ＝７、ｙ＝３）して得られた非イオン性界面活性剤（Ｃ８−３ＰＯ−７ＥＯ−Ｈ）
・（Ｃ−ａ３）：一般式（２）において、原料アルコールにトリデカノール（協和発酵ケミカル社、イソトリデシルアルコール）を用い、これにＥＯを３モル付加した後、ＥＯ１２モルとＰＯ３モルをランダム付加（ｘ＝１５、ｙ＝３）して得られた非イオン性界面活性剤（ｉｓｏ−Ｃ１３−３ＥＯ−（１２ＥＯ／３ＰＯ）−Ｈ）
・（Ｃ−ａ４）：一般式（２）において、原料にソフタノール１２０（日本触媒社、ｓｅｃ−Ｃ１２〜１４アルコールのＥＯ１２モル付加体）を用い、これにＰＯを１．５モル付加（ｘ＝１２、ｙ＝１．５）して得られた非イオン性界面活性剤（ｓｅｃ−Ｃ１２〜１４−１２ＥＯ−１．５ＰＯ−Ｈ）
・（Ｃ−ｂ１）：ＰＯ３０モルのポリプロピレングリコールに、ＥＯ１６０モルを付加して得られた、上記式（３）で表される非イオン性界面活性剤（８０ＥＯ−３０ＰＯ−８０ＥＯ。即ち、式（３）中、ｐ＝８０、ｑ＝３０、ｒ＝８０）
・（Ｃ’−１）：リネポール９１１（シェルケミカルズジャパン製、Ｃ９〜１１アルコール）に、ＥＯを８モル付加した非イオン性界面活性剤（Ｃ９〜１１−８ＥＯ）
・（Ｃ’−２）：ソフタノール１２０（日本触媒社、ｓｅｃ−Ｃ１２〜１４アルコールのＥＯ １２モル付加体）
ここで、（Ｃ’−１）および（Ｃ’−２）は、本実施形態に係る非イオン性界面活性剤（Ｃ）ではない。
【００４５】
＜洗浄剤組成物の評価＞
下記表１および表２の実施例および比較例に示した組成の食器洗浄機用の洗浄剤組成物を調製し、以下の方法で安定性、低泡性、洗浄性を評価した。尚、表に示す組成物の含有量は特に指定がない限り純分の値で示した。
【００４６】
［１］安定性：
各洗浄剤組成物の調製直後の外観を観察し、「配合時」として目視判定した。また、各洗浄剤組成物を１００ｍＬガラス瓶に入れ、蓋をして５０℃および０℃の恒温槽で３０日間保存し、その外観を目視判定した。判定基準は下記の通りである。  
○：透明均一で異物なし
×：濁り、分離、浮遊物または沈殿物が認められる
【００４７】
［２］低泡性：
食器洗浄機（松下電器産業社、機種ＮＰ−４０ＳＸ２）に、各洗浄剤組成物６ｇを入れて、標準コースにて洗浄を開始した。洗浄開始から１分後の泡立ちの様子を目視判定した。判定基準は下記の通りである。  
◎：ほとんど泡立っていない
○：少し泡立っている
×：泡立っている
【００４８】
［３］洗浄性：
牛脂２ｇを塗布したポリプロピレン製弁当箱（内寸：１５６ｍｍ×１０５ｍｍ×４１ｍｍ、蓋なし）を、食器洗浄機（松下電器産業社、機種ＮＰ−４０ＳＸ２）に装填し、各洗浄剤組成物６ｇを入れて、標準コースにて洗浄を行ない、ポリプロピレン製弁当箱の油の残留具合を官能評価した。評価基準は下記の通りである。  
◎：油が残留しておらず、ぬるつきも感じられない
○：油の残留は認められないが、ごくわずかにぬるつきが感じられる
×：油の残留が認められる
【００４９】
【表１】
2014189652.tif 000002
【００５０】
【表２】
2014189652.tif 000003
【００５１】
結果は、表１および表２に示す通りであり、上記式（１）で表される化合物（Ａ）とアルカリ剤（Ｂ）と上記特定の非イオン性界面活性剤（Ｃ）との３成分を用いた実施例１〜８の洗浄剤組成物であると、洗浄性と低泡性を両立することができ、保存安定性にも優れていた。実施例２および３とその他の実施例との対比より、化合物（Ａ）のＲ１がフェニル基またはアルキルフェニル基の場合よりも、アルキル基の方が洗浄性および低泡性において優れていることが分かる。なお、化合物（Ａ）におけるＡＯの有無は性能上大きな違いはないと考えられる。
【００５２】
これに対し、比較例１では、化合物（Ａ）を配合していないため、洗浄剤組成物の安定性が悪く、そのため、低泡性および洗浄性の評価は行わなかった。アルカリ剤（Ｂ）を配合しなかった比較例２、および、非イオン性界面活性剤（Ｃ）を配合しなかった比較例３では、洗浄性が劣っていた。また、比較例４および５のように、上記式（１）で表される化合物（Ａ）以外の化合物を用いた場合、低泡性に劣っていた。更に、比較例６および７のように、非イオン性界面活性剤として本実施形態特定の非イオン性界面活性剤（Ｃ）以外のものを用いた場合にも、低泡性に劣っていた。このように上記３成分のいずれか１つでも欠けると所望の効果が得られなかった。
【産業上の利用可能性】
【００５３】
本発明に係る液体洗浄剤組成物は、家庭用や業務用などの各種の食器洗浄機用の洗浄剤として好適に用いることができ、その他に各種硬質表面洗浄剤など、様々な用途に用いることができる。